(57)【特許請求の範囲】
【請求項１】
伝動ギヤケースと刈取フレームとに支持された引起しケースに、無端チエンを巻回した上部駆動スプロケットと下部従動ローラとを内装し、上下回動する無端チエンに枢着した引起し爪が、倒伏して下降する非作用側から起立して上昇する作用側に反転進入するようにした穀稈引起装置において、上記引起しケースを、上面のカバー体と、該カバー体により覆われた無端チエンに臨む上下方向の裏面ケース部と、作用側の引起し爪を上昇案内するガイド部とで構成し、上記ガイド部の下端に引起し爪が非作用側から作用側に進入するＵ字状の進入部を一体形成して、該進入部で下部従動ローラを支持すると共に、上記裏面ケース部の下端側で、ガイド部に一体形成した進入部の作用側と非作用側とを連結し、かつ引起し爪の非作用側に位置する裏面ケース部を開放状に構成したことを特徴とする穀稈引起装置における引起しケース。
【請求項２】
伝動ギヤケースと刈取フレームとに支持された引起しケースに、無端チエンを巻回した上部駆動スプロケットと下部従動ローラとを内装し、上下回動する無端チエンに枢着した引起し爪が、倒伏して下降する非作用側から起立して上昇する作用側に反転進入するようにした穀稈引起装置において、上記引起しケースを、上面のカバー体と、該カバー体により覆われた無端チエンに臨む上下方向の裏面ケース部と、作用側の引起し爪を上昇案内するガイド部とで構成し、上記ガイド部の下端に引起し爪が非作用側から作用側に進入するＵ字状の進入部を一体形成して、該進入部で下部従動ローラを支持し、かつ裏面ケース部の下端側で、ガイド部に一体形成した進入部の作用側と非作用側を連結すると共に、上記裏面ケース部には全長に亘る段差部を設けて、非作用側に位置する無端チエンと裏面ケース部との間隔を広くする空間部を形成したことを特徴とする穀稈引起装置における引起しケース。
【請求項３】
伝動ギヤケースと刈取フレームとに支持された引起しケースに、無端チエンを巻回した上部駆動スプロケットと下部従動ローラとを内装し、上下回動する無端チエンに枢着した引起し爪が、倒伏して下降する非作用側から起立して上昇する作用側に反転進入するようにした穀稈引起装置において、上記引起しケースを、上面のカバー体と、該カバー体により覆われた無端チエンに臨む上下方向の裏面ケース部と、作用側の引起し爪を上昇案内するガイド部とで構成し、上記ガイド部の下端に引起し爪が非作用側から作用側に進入するＵ字状の進入部を一体形成して、該進入部で下部従動ローラを支持し、かつ裏面ケース部に全長に亘る段差部を設けると共に、上記裏面ケース部の下端側で、ガイド部に一体形成した進入部の作用側と非作用側を連結した際、裏面ケース部の下端に位置する段差部が上記進入部の裏面から突出して、開放状の開口部が形成されるように構成したことを特徴とする穀稈引起装置における引起しケース。
【発明の詳細な説明】
【０００１】
【産業上の利用分野】
本発明は、刈取部に装備される穀稈引起装置における引起しケースに係るものである。
【０００２】
【従来の技術】
従来、バインダやコンバイン等の刈取部に装備される穀稈引起装置には、機体の前面に伝動ギヤケースと刈取フレームとに支持された複数の引起しケースを設け、この引起しケースに内装した上部駆動スプロケットと下部従動ローラとに、引起し爪を枢着した無端チエンを巻回して、伝動ギヤケースからの動力により無端チエンが上下回動すると、引起しケースから起立突出した引起し爪が直線状に上昇する作用側で穀稈を引き起し、ついで引起しケースの上端で倒伏した引起し爪が非作用側を下降して、引起しケースの下端に至ると再び起立して作用側に進入するようにしたものが知られている。
【０００３】
【発明が解決しようとする課題】
ところで、このような引起しケースは、上面のカバー体と、カバー体により覆われた無端チエンに臨む裏面ケース部と、引起し爪を昇降案内するガイド部とで構成されるのが一般的であるため、下部従動ローラの支持部分もケース部とガイド部とで二重構造になっていると、下部従動ローラの支持構造が複雑になり、部品重量が増大してコスト高を招く惧れがあり、しかも下部従動ローラに藁屑等がからみついて詰り易すかった。そこで裏面ケース部の下端に引起し爪が反転して作用側へ進入する進入部を形成し、引起し爪が上昇する作用側に別体のガイド部を上下方向に設ければ、ケース部のみで下部従動ローラを支持できるが、進入部とガイド部との間に継ぎ目が発生するので、この継ぎ目を繰返し通過する引起し爪が破損し易くなるという問題がある。
【０００４】
本発明は上記の如き実情に鑑み創作されたものであって、その目的とするところは、下部従動ローラの支持部分の構造を簡単にでき、しかも引起し爪を非作用側から作用側にスムーズに進入させることができ、また引起しケース内に藁屑等が溜るのを可及的に少くすることができる穀稈引起装置における引起しケースを提供しようとするにある。
【０００５】
【課題を解決するための手段】
上記の課題を解決するため、本発明が講じた技術手段は、伝動ギヤケースと刈取フレームとに支持された引起しケースに、無端チエンを巻回した上部駆動スプロケットと下部従動ローラとを内装し、上下回動する無端チエンに枢着した引起し爪が、倒伏して下降する非作用側から起立して上昇する作用側に反転進入するようにした穀稈引起装置において、上記引起しケースを、上面のカバー体と、該カバー体により覆われた無端チエンに臨む上下方向の裏面ケース部と、作用側の引起し爪を上昇案内するガイド部とで構成し、上記ガイド部の下端に引起し爪が非作用側から作用側に進入するＵ字状の進入部を一体形成して、該進入部で下部従動ローラを支持すると共に、上記裏面ケース部の下端側で、ガイド部に一体形成した進入部の作用側と非作用側とを連結し、かつ引起し爪の非作用側に位置する裏面ケース部を開放状に構成したことを特徴とし、また伝動ギヤケースと刈取フレームとに支持された引起しケースに、無端チエンを巻回した上部駆動スプロケットと下部従動ローラとを内装し、上下回動する無端チエンに枢着した引起し爪が、倒伏して下降する非作用側から起立して上昇する作用側に反転進入するようにした穀稈引起装置において、上記引起しケースを、上面のカバー体と、該カバー体により覆われた無端チエンに臨む上下方向の裏面ケース部と、作用側の引起し爪を上昇案内するガイド部とで構成し、上記ガイド部の下端に引起し爪が非作用側から作用側に進入するＵ字状の進入部を一体形成して、該進入部で下部従動ローラを支持し、かつ裏面ケース部の下端側で、ガイド部に一体形成した進入部の作用側と非作用側を連結すると共に、上記裏面ケース部には全長に亘る段差部を設けて、非作用側に位置する無端チエンと裏面ケース部との間隔を広くする空間部を形成したことを特徴とし、さらにまた、伝動ギヤケースと刈取フレームとに支持された引起しケースに、無端チエンを巻回した上部駆動スプロケットと下部従動ローラとを内装し、上下回動する無端チエンに枢着した引起し爪が、倒伏して下降する非作用側から起立して上昇する作用側に反転進入するようにした穀稈引起装置において、上記引起しケースを、上面のカバー体と、該カバー体により覆われた無端チエンに臨む上下方向の裏面ケース部と、作用側の引起し爪を上昇案内するガイド部とで構成し、上記ガイド部の下端に引起し爪が非作用側から作用側に進入するＵ字状の進入部を一体形成して、該進入部で下部従動ローラを支持し、かつ裏面ケース部に全長に亘る段差部を設けると共に、上記裏面ケース部の下端側で、ガイド部に一体形成した進入部の作用側と非作用側を連結した際、裏面ケース部の下端に位置する段差部が上記進入部の裏面から突出して、開放状の開口部が形成されるように構成したことを特徴とするものである。
【０００６】
【作用】
したがって本発明によれば、上下回動する無端チエンに枢着した引起し爪は、倒伏して下降した非作用側から、ガイド部の下端に一体形成したＵ字状の進入部を経てスムーズに作用側に進入する。しかも作用側と非作用側とが裏面ケース部で連結されたＵ字状の進入部は、十分な強度を保つことができ、また進入部のみで支持される下部従動ローラは、支持構造が簡単となる。そして開放状に構成した引起し爪の非作用側とケース部との対向間から藁屑等が引起しケースの下方に落下させることができる。また全長に亘り段差部を設けた裏面ケース部は、全体の強度の向上を図ることができるうえ、段差部によって無端チエンとケース部との間に形成される空間部が引起し爪による藁屑等の持ち廻りを少くする。さらにまた進入部で支持された下部従動ローラは、開放状に構成された上方部位から藁屑等が排出されるので、藁屑等がからみついて詰ったりするのが防止される。
【０００７】
【実施例】
次に本発明の実施例を添付した図面に基いて詳細に説明する。まず、図１において、１はコンバインであって、クローラ走行体２を備えた機体の前部に刈取部３が装着されており、その後方一側に脱穀機４が搭載され、後方他側には運転席５、穀粒タンク等が配設されている。６は穀粒排出筒である。７は刈取部３の前面に設けた刈取フレームと伝動ギヤケースとによって支持される引起しケースであって、該引起しケース７には、図２、図３に示すように無端チエン８を巻回した上部スプロケット９と下部従動ローラ１０が内装されていて、伝動ギヤケースからの動力により無端チエン８が上下回動すると、無端チエン８に枢着した引起し爪１１が起立して作用側Ａを上昇しながら穀稈を引起し、ついで引起しケース７の上端で反転倒伏した引起し爪１１が非作用側Ｂを下降して、引起しケース７の下端に至ると再び起立して作用側Ａに進入するようになっている。
【０００８】
上記引起しケース７は、着脱自在な上面のカバー体１２と、上下方向の裏面裏面ケース部および上昇する作用側Ａの引起し爪１１を案内する上下方向のガイド部１４とで構成されている。そして上記ガイド部１４には、上昇する引起し爪１１の基端部が嵌入案内される凹状のガイド溝１５が折曲形成されており、該ガイド部１４の下端には非作用側Ｂを下降してきた引起し爪１１を、作用側Ａに進入させる進入部１６が、下部従動ローラ１０の外周に沿ったＵ字状に一体形成されており、上記進入部１６に設けた支軸１７によって下部従動ローラ１０が支持されている。
【０００９】
上下方向の裏面裏面ケース部は、図４の断面図で示すように、側端に設けた立上り部１８をガイド溝１５側面に係止させた状態でガイド部１４の下方から重合させてスポット溶接等により連結固定されている。また上記裏面ケース部はカバー体１２よりも幅狭に形成されていて、裏面ケース部と引起し爪１１が下降する非作用側Ｂに位置する裏面ケース部が開放状となっている。そして裏面ケース部の下端には、非作用側Ｂに向けて突出する幅広部１９が形成されていて、該幅広部１９でガイド部１４に形成した進入部１６の作用側と非作用側とを連結補強している。
【００１０】
上記裏面ケース部１３には上下方向の全長に亘り下方に折曲した段差部２０が設けられていて、裏面ケース部１３を補強すると共に回動する非作用側の無端チエン８と裏面ケース部１３との間隔を広くする空間部２１が形成されている。また前記幅広部１９は非作用側の端部を段差部２０の高さａだけ上方に折曲して進入部１６に連結することにより、図６に示すように下部従動ローラ１０を支持する進入部１６の裏面には、裏面ケース部１３の下端に位置する段差部２０が高さａだけ突出して、裏面ケース部１３が進入部１６の裏面から離間した開放状の開口部２２が形成されている。また上面のカバー体１２は裏面ケース部１３に設けた立上り状の取付部材２３により着脱自在に取付けられている。２４は注油ノズルである。
【００１１】
図８に示すものは取付部材２３の立上り部２５を非作用側Ｂに向け、下降状に傾斜させて藁屑等が取付部材２３に堆積するのを防止するものである。また図９に示すものは、取付部材２３の上方に開口部２６を設けて取付部材２３に堆積しようとする藁屑等を引起しケース７の外方に排出させるものである。
【００１２】
上記の如き構成において、引起しケース７に内装された無端チエン８が上下回動すると、作用側Ａに起立した引起し爪１１は、ガイド部１４に形成されたの凹状のガイド溝１５で基端部が案内されながら上昇して穀稈を引起す。ついで引起しケース７の上端で反転倒伏して非作用側Ｂを下降した引起し爪１１は、ガイド部１４の下端にＵ字状の進入部１６が一体形成されているので、該進入部１６を通ってスムーズに作用側Ａに進入する。しかもＵ字状の進入部１６は、作用側と非作用側とが裏面ケース部１３の幅広部１９で連結されているので、十分な強度を保つことができ、また進入部１６に設けた支軸１７で下部従動ローラ１０を支持したので、従来のように下部従動ローラの支持部分が二重構造になったものと比べて支持構造を簡単にすることができる。そして引起し爪１１の非作用側Ｂに位置する裏面ケース部１３が開放状となっているので、引起しケース７から藁屑等を落下させて引起しケース７内に藁屑等が溜るのを可及的に少なくすることができる。
【００１３】
また上下方向の全長に亘って下方に折曲する段差部２０を設けた裏面ケース部１３は、全体の強度の向上を図ることができ、しかも段差部２０によって裏面ケース部１３と非作用側に位置する無端チエン８との間に空間部２１が形成されるので、藁屑等が裏面ケース部１３との間に挟って持ち回られるのを防止することができる。さらに下部従動ローラ１０の上方部位には、ガイド部１４の進入部１６裏面から段差部２０の高さａだけ突出して離間した裏面ケース部１３によって開口部２２が形成されるので、藁屑等は開口部２２から排出されて下部従動ローラ１０にからまって詰るようなことはない。
【００１４】
【発明の効果】
これを要するに本発明は、伝動ギヤケースと刈取フレームとに支持された引起しケースに、無端チエンを巻回した上部駆動スプロケットと下部従動ローラとを内装し、上下回動する無端チエンに枢着した引起し爪が、倒伏して下降する非作用側から起立して上昇する作用側に反転進入するようにした穀稈引起装置において、上記引起しケースを、上面のカバー体と、該カバー体により覆われた無端チエンに臨む上下方向の裏面ケース部と、作用側の引起し爪を上昇案内するガイド部とで構成し、上記ガイド部の下端に引起し爪が非作用側から作用側に進入するＵ字状の進入部を一体形成して、該進入部で下部従動ローラを支持すると共に、上記裏面ケース部の下端側で、ガイド部に一体形成した進入部の作用側と非作用側とを連結し、かつ引起し爪の非作用側に位置する裏面ケース部を開放状に構成したことを特徴とし、また伝動ギヤケースと刈取フレームとに支持された引起しケースに、無端チエンを巻回した上部駆動スプロケットと下部従動ローラとを内装し、上下回動する無端チエンに枢着した引起し爪が、倒伏して下降する非作用側から起立して上昇する作用側に反転進入するようにした穀稈引起装置において、上記引起しケースを、上面のカバー体と、該カバー体により覆われた無端チエンに臨む上下方向の裏面ケース部と、作用側の引起し爪を上昇案内するガイド部とで構成し、上記ガイド部の下端に引起し爪が非作用側から作用側に進入するＵ字状の進入部を一体形成して、該進入部で下部従動ローラを支持し、かつ裏面ケース部の下端側で、ガイド部に一体形成した進入部の作用側と非作用側を連結すると共に、上記裏面ケース部には全長に亘る段差部を設けて、非作用側に位置する無端チエンと裏面ケース部との間隔を広くする空間部を形成したことを特徴とし、さらにまた、伝動ギヤケースと刈取フレームとに支持された引起しケースに、無端チエンを巻回した上部駆動スプロケットと下部従動ローラとを内装し、上下回動する無端チエンに枢着した引起し爪が、倒伏して下降する非作用側から起立して上昇する作用側に反転進入するようにした穀稈引起装置において、上記引起しケースを、上面のカバー体と、該カバー体により覆われた無端チエンに臨む上下方向の裏面ケース部と、作用側の引起し爪を上昇案内するガイド部とで構成し、上記ガイド部の下端に引起し爪が非作用側から作用側に進入するＵ字状の進入部を一体形成して、該進入部で下部従動ローラを支持し、かつ裏面ケース部に全長に亘る段差部を設けると共に、上記裏面ケース部の下端側で、ガイド部に一体形成した進入部の作用側と非作用側を連結した際、裏面ケース部の下端に位置する段差部が上記進入部の裏面から突出して、開放状の開口部が形成されるように構成したことから、無端チエンに枢着した引起し爪が、倒伏して非作用側を下降して引起しケースの下端に至ると、ガイド体の下端には作用側への進入部が一体形成されているので、該進入部に案内されてスムーズに作用側へ進入することができる。しかもＵ字状の進入部は、作用側と非作用側とが裏面ケース部の下端側で連結されているので、十分な強度を保つことができ、また該進入部のみで下部従動ローラを支持したので、下部従動ローラの取付構造を簡単にすることができる。そして開放状に構成した引起し爪の非作用側と裏面ケース部との対向間から、藁屑等が落下するので、引起しケース内に藁屑等が溜るのを可及的に少くすることができる。また裏面ケース部には全長に亘る段差部が設けてあるので、ケース部の強度を向上させることができるとともに、無端チエンとの間に空間部が形成されて、引起し爪による藁屑等の持ち廻りを少くすることができる。さらに、進入部で支持された下部従動ローラの上方部位が開放状に構成されて藁屑等を排出するので、下部従動ローラに藁屑等がからみついて詰ったりするのを防止することができるものである。
【図面の簡単な説明】
【図１】コンバインの全体斜視図である。
【図２】引起しケースの縦断正面図である。
【図３】同上一部の縦断側面図である。
【図４】図２のイ−ロ断面図である。
【図５】下部従動ローラ部分の縦断正面図である。
【図６】同上縦断側面図である。
【図７】ケース部とガイド部との分解斜視図である。
【図８】取付部材の他の実施例を示す正面図である。
【図９】取付部材の更に他の実施例を示す正面図である。
【符号の説明】
７ 引起しケース ８ 無端チエン ９ 上部駆動スプロケット １０ 下部従動ローラ １１ 引起し爪 １２ カバー体 １３ 裏面ケース部 １４ ガイド体 １６ 進入部 Ａ 作用側 Ｂ 非作用側
【図１】
0003569551.tif 000002
【図２】
0003569551.tif 000003
【図３】
0003569551.tif 000004
【図４】
0003569551.tif 000005
【図５】
0003569551.tif 000006
【図６】
0003569551.tif 000007
【図７】
0003569551.tif 000008
【図８】
0003569551.tif 000009
【図９】
0003569551.tif 000010